(57)【要約】【課題】選択された施設以外であっても有益な情報を含んで検索結果を表示することができる施設検索装置を提供すること。【解決手段】施設検索装置としてのナビゲーション装置は、検索の基点となる特定位置を設定するとともに複数の施設が対応する施設名を検索条件として指定する検索条件指定部３０と、指定された施設名を検索条件として特定位置の周辺に存在する複数の施設のそれぞれに関する周辺施設情報を検索する周辺施設検索部３２と、指定された施設名と同じ施設ジャンルに含まれる他の施設名を検索条件として特定位置の周辺に存在する施設に関する関連施設情報を検索する関連施設検索部３４と、検索によって得られた周辺施設情報と関連施設情報とが含まれる検索結果画像を作成する検索結果画像描画部３６と、検索結果画像を表示装置６に表示する表示処理部６０とを備える。【選択図】図１
2014190888.tif 000002
【特許請求の範囲】
【請求項１】
検索の基点となる特定位置を設定する検索基点設定手段と、
複数の施設が対応する施設名を検索条件として指定する検索条件指定手段と、
前記検索条件設定手段によって指定された施設名を検索条件として、前記特定位置の周辺に存在する複数の施設のそれぞれに関する情報としての周辺施設情報を検索する周辺施設検索手段と、
前記施設名と同じ施設ジャンルに含まれる他の施設名を検索条件として、前記特定位置の周辺に存在する施設に関する情報としての関連施設情報を検索する関連施設検索手段と、
前記周辺施設検索手段によって検索された前記周辺施設情報と前記関連施設検索手段によって検索された前記関連施設情報とが含まれる検索結果画像を作成する検索結果画像作成手段と、
前記検索結果画像作成手段によって作成された検索結果画像を表示装置に表示する表示処理手段と、
を備えることを特徴とする施設検索装置。
【請求項２】
請求項１において、
前記検索結果画像には、複数の前記周辺施設情報が含まれる周辺施設情報領域が上部に、前記関連施設情報が含まれる関連施設情報領域が下部に配置されていることを特徴とする施設検索装置。
【請求項３】
請求項２において、
前記周辺施設情報領域の面積は、前記関連施設情報領域の面積よりも広いことを特徴とする施設検索装置。
【請求項４】
請求項２または３において、
複数の前記周辺施設情報の数が前記周辺施設情報領域に表示可能な数を超えている場合に、利用者によるスクロール指示に応じて、前記周辺施設情報領域において表示対象となる前記周辺施設情報がスクロールされることを特徴とする施設検索装置。
【請求項５】
請求項２または３において、
複数の前記周辺施設情報の数が前記周辺施設情報領域に表示可能な数よりも少ない場合に、前記関連施設情報領域を拡大してこれに表示する前記関連施設情報の数を増加させることを特徴とする施設検索装置。
【請求項６】
請求項１〜５のいずれか一項において、
前記検索結果画像に含まれる複数の前記周辺施設情報は、前記特定位置から近い順に配置されることを特徴とする施設検索装置。
【請求項７】
請求項１〜６のいずれか一項において、
前記検索結果画像に含まれる前記関連施設情報は、前記関連施設検索手段によって検索された前記関連施設情報の中で、前記特定位置に近い順に抽出された施設に対応する前記関連施設情報が用いられることを特徴とする施設検索装置。
【請求項８】
請求項１〜６のいずれか一項において、
前記検索結果画像に含まれる前記関連施設情報は、前記関連施設検索手段によって検索された前記関連施設情報の中で、前記周辺施設検索手段によって前記周辺施設情報が検索された施設であって前記特定位置に最も近い施設よりも近い施設に対応する前記関連施設情報が用いられることを特徴とする施設検索装置。
【請求項９】
請求項７または８において、
前記検索結果画像に含まれる前記関連施設情報は、前記関連施設検索手段によって検索された前記関連施設情報の中で、前記特定位置に最も近い施設に対応する前記関連施設情報が用いられることを特徴とする施設検索装置。
【請求項１０】
請求項１〜９のいずれか一項において、
前記関連施設検索手段による検索によって得られる複数の前記関連施設情報の中には、利用者を引き付けるための第１の付加情報を有するものがあり、
前記検索結果画像作成手段は、前記第１の付加情報を有する前記関連施設情報が含まれる前記検索結果画像を作成することを特徴とする施設検索装置。
【請求項１１】
請求項１〜１０のいずれか一項において、
前記関連施設検索手段による検索によって得られる複数の前記関連施設情報の中には、利用者による施設の利用の可否を示す第２の付加情報を有するものがあり、
前記検索結果画像作成手段は、前記第２の付加情報に基づいて利用可能であることが確認された施設に対応する前記関連施設情報が含まれる前記検索結果画像を作成することを特徴とする施設検索装置。
【請求項１２】
請求項１〜１１のいずれか一項において、
前記特定位置は車両の自車位置であり、
前記周辺施設検索手段および前記関連施設検索手段は、前記自車位置を中心とした所定範囲について施設検索を行うことを特徴とする施設検索装置。
【発明の詳細な説明】
【技術分野】
【０００１】
本発明は、自車位置周辺等において検索条件を満たす施設の検索を行う施設検索装置に関する。
【背景技術】
【０００２】
従来から、利用者の操作に基づいてシステムが周辺施設検索の要求を検出するとカテゴリリストが読み出されて、ディスプレイ上に施設の業態一覧が表示され、その中から利用者が特定の業態（例えば、コンビニ）を選択すると、システムがブランドリストを読み出してそこに含まれるチェーンブランドに代表される施設の一覧をディスプレイ上にリスト表示するようにしたナビゲーション装置が知られている（例えば、特許文献１参照。）。このナビゲーション装置では、利用者が施設の一覧の中の一つを選択して周辺検索を行うことにより、自車位置等の周辺に存在する対象施設を近い順にリスト表示することが可能となる。
【先行技術文献】
【特許文献】
【０００３】
【特許文献１】特開２０１３−３１０７号公報
【発明の概要】
【発明が解決しようとする課題】
【０００４】
ところで、特許文献１に開示されたナビゲーション装置では、施設の一覧の中の一つを選択すると対象施設が検索されて近い順にリスト表示されるが、選択されなかった施設が近くにあっても表示されることはなく、施設の絞り込み条件が厳密すぎて有益な情報が検索結果から漏れてしまうおそれがあるという問題があった。例えば、コンビニエンスストアの各チェーンブランドとしてコンビニＢ、コンビニＦ、コンビニＭ、・・・が含まれる一覧リストが表示されたときに利用者によってコンビニＦが選択されると、コンビニＦの各店舗が抽出され、自車位置から近い順にリスト表示される。このとき、自車位置に最も近いコンビニＦの店舗（ＡＡ店）よりも近いコンビニＢの店舗（ＢＢ店）が存在しても、このコンビニＢは選択された施設ではないため画面上に表示されることはない。
【０００５】
本発明は、このような点に鑑みて創作されたものであり、その目的は、選択された施設以外であっても有益な情報を含んだ検索結果を表示することができる施設検索装置を提供することにある。
【課題を解決するための手段】
【０００６】
上述した課題を解決するために、本発明の施設検索装置は、検索の基点となる特定位置を設定する検索基点設定手段と、複数の施設が対応する施設名を検索条件として指定する検索条件指定手段と、検索条件設定手段によって指定された施設名を検索条件として、特定位置の周辺に存在する複数の施設のそれぞれに関する情報としての周辺施設情報を検索する周辺施設検索手段と、施設名と同じ施設ジャンルに含まれる他の施設名を検索条件として、特定位置の周辺に存在する施設に関する情報としての関連施設情報を検索する関連施設検索手段と、周辺施設検索手段によって検索された周辺施設情報と関連施設検索手段によって検索された関連施設情報とが含まれる検索結果画像を作成する検索結果画像作成手段と、検索結果画像作成手段によって作成された検索結果画像を表示装置に表示する表示処理手段とを備えている。検索条件を指定することで得られた周辺施設情報だけでなく、同じ施設ジャンルの他の施設に関する関連施設情報を取得することにより、利用者自身が検索を希望した施設以外であっても他の施設の有益な情報を含む検索結果を表示することが可能となる。
【０００７】
また、上述した検索結果画像には、複数の周辺施設情報が含まれる周辺施設情報領域が上部に、関連施設情報が含まれる関連施設情報領域が下部に配置されていることが望ましい。また、上述した周辺施設情報領域の面積は、関連施設情報領域の面積よりも広いことが望ましい。このように、関連施設情報の表示よりも周辺施設情報の表示を優先させることにより、利用者の検索の意図を反映させるとともに関連施設情報を加えることによって周辺施設情報の視認性を阻害しない検索結果の表示が可能になる。
【０００８】
また、上述した複数の周辺施設情報の数が周辺施設情報領域に表示可能な数を超えている場合に、利用者によるスクロール指示に応じて、周辺施設情報領域において表示対象となる周辺施設情報がスクロールされることが望ましい。これにより、周辺施設情報が多数存在する場合であっても利用者の指示に応じて順番にその内容を表示することができるとともに、周辺施設情報の数に関係なく関連施設情報を確実に表示することが可能となる。
【０００９】
また、上述した複数の周辺施設情報の数が周辺施設情報領域に表示可能な数よりも少ない場合に、関連施設情報領域を拡大してこれに表示する関連施設情報の数を増加させることが望ましい。これにより、検索結果画像内の領域を有効利用することができる。
【００１０】
また、上述した検索結果画像に含まれる複数の周辺施設情報は、特定位置から近い順に配置されることが望ましい。また、上述した検索結果画像に含まれる関連施設情報は、関連施設検索手段によって検索された関連施設情報の中で、特定位置に近い順に抽出された施設に対応する関連施設情報が用いられることが望ましい。上述した検索結果画像に含まれる関連施設情報は、関連施設検索手段によって検索された関連施設情報の中で、周辺施設検索手段によって周辺施設情報が検索された施設であって特定位置に最も近い施設よりも近い施設に対応する関連施設情報が用いられることが望ましい。上述した検索結果画像に含まれる関連施設情報は、関連施設検索手段によって検索された関連施設情報の中で、特定位置に最も近い施設に対応する関連施設情報が用いられることが望ましい。これにより、利用者に有用な周辺施設情報や関連施設情報を優先的に表示することが可能となる。
【００１１】
また、上述した関連施設検索手段による検索によって得られる複数の関連施設情報の中には、利用者を引き付けるための第１の付加情報を有するものがあり、検索結果画像作成手段は、第１の付加情報を有する関連施設情報が含まれる検索結果画像を作成することが望ましい。利用者を引き付けるための情報とは値引き情報や催事情報などの利用者にとって役に立つ情報であることが多く、このような情報を付加することにより、利用者にとってさらに有益な情報を含む検索結果を表示することができる。
【００１２】
また、上述した関連施設検索手段による検索によって得られる複数の関連施設情報の中には、利用者による施設の利用の可否を示す第２の付加情報を有するものがあり、検索結果画像作成手段は、第２の付加情報に基づいて利用可能であることが確認された施設に対応する関連施設情報が含まれる検索結果画像を作成することが望ましい。これにより、利用者が利用できない時間帯や閉鎖された利用不可の施設に関する情報を検索結果から排除することができ、実際にその施設に行って利用不可であることを知るなどの無駄な行為を未然に防止することができる。
【００１３】
また、上述した特定位置は車両の自車位置であり、周辺施設検索手段および関連施設検索手段は、自車位置を中心とした所定範囲について施設検索を行うことが望ましい。これにより、車両周辺の周辺施設情報と同時に関連施設に関する有益な情報を得ることが可能となる。
【図面の簡単な説明】
【００１４】
【図１】一実施形態のナビゲーション装置の構成を示す図である。
【図２】検索条件の設定例を示す説明図である。
【図３】周辺施設検索の動作手順を示す流れ図である。
【図４】検索条件設定画面の表示例を示す図である。
【図５】検索条件設定画面の表示例を示す図である。
【図６】検索結果画面の表示例を示す図である。
【図７】検索結果画面の表示の変形例を示す図である。
【図８】検索結果画面の表示の他の変形例を示す図である。
【図９】検索結果画面の表示の他の変形例を示す図である。
【発明を実施するための形態】
【００１５】
以下、本発明の施設検索装置を適用した一実施形態のナビゲーション装置について、図面を参照しながら説明する。
【００１６】
図１は、一実施形態のナビゲーション装置の構成を示す図である。図１に示すナビゲーション装置は、ナビゲーションコントローラ１、地図データ記憶装置３、操作部４、車両位置検出部５、表示装置６、オーディオ部７を含んで構成されている。このナビゲーション装置は、車両に搭載されている。
【００１７】
ナビゲーションコントローラ１は、ＣＰＵ、ＲＯＭ、ＲＡＭ等を用いて所定の動作プログラムを実行することにより、自車位置周辺の地図画像表示動作や施設検索動作、経路探索・誘導動作などの各種機能を実現する。ナビゲーションコントローラ１の詳細構成については後述する。
【００１８】
地図データ記憶装置３は、地図表示、施設検索、経路探索などに必要な地図データが格納されている記憶媒体およびその読み取り装置である。この地図データ記憶装置３には、経度および緯度で適当な大きさに区切られた矩形形状の図葉を単位とした地図データが格納されている。各図葉の地図データは、図葉番号を指定することにより特定され、読み出すことが可能となる。地図データ記憶装置３は、ハードディスク装置や半導体メモリによって、あるいは、ＤＶＤとその読み取り装置によって実現される。また、地図データ記憶装置３を通信装置に置き換えて、外部の地図配信サーバ（図示せず）から地図データを取得するようにしてもよい。
【００１９】
操作部４は、利用者の指示（操作）を受け付けるためのものであり、各種の操作ボタンや操作つまみ類を備えている。また、操作部４は、表示装置６の画面に取り付けられたタッチパネルを含んでおり、画面上の一部を直接利用者が指等で指し示すことにより、操作指示を行うことができるようになっている。車両位置検出部５は、例えば、ＧＰＳ受信機、方位センサ、距離センサなどを備えており、所定のタイミングで車両位置（経度、緯度）の検出を行い、検出結果を出力する。
【００２０】
表示装置６は、例えばＬＣＤ（液晶表示装置）によって構成されており、ナビゲーションコントローラ１から出力される映像信号に基づいて自車位置周辺の地図画像や交差点案内画像、あるいは、施設検索によって得られた施設やその周辺駐車場が含まれる検索結果画像などを表示する。オーディオ部７は、ナビゲーションコントローラ１から入力される音声信号に基づいて生成した案内音声等を車室内に出力する。
【００２１】
次に、ナビゲーションコントローラ１の詳細構成について説明する。図１に示すナビゲーションコントローラ１は、地図バッファ１０、地図読出制御部１２、地図描画部１４、車両位置計算部２０、経路探索処理部２２、経路誘導処理部２４、検索条件指定部３０、周辺施設検索部３２、関連施設検索部３４、施設情報描画部３６、入力処理部４０、表示処理部６０を含んで構成されている。
【００２２】
地図バッファ１０は、地図データ記憶装置３から読み出された地図データを一時的に格納する。地図読出制御部１２は、車両位置計算部２０により算出される車両位置や利用者が操作部４を操作して指定した位置に応じて、所定範囲の地図データの読み出し要求を地図データ記憶装置３に出力する。地図描画部１４は、地図バッファ１０に格納された地図データに基づいて、表示装置６に地図画像を表示するために必要な描画処理を行って地図画像描画データを作成する。
【００２３】
車両位置計算部２０は、車両位置検出部５から出力される検出データに基づいて自車位置を計算するとともに、計算した自車位置が地図データの道路上にない場合には、自車位置を修正するマップマッチング処理を行う。
【００２４】
経路探索処理部２２は、出発地と目的地（あるいは経由地）との間を所定の探索条件にしたがって結ぶ走行経路（誘導経路）を探索する。経路誘導処理部２４は、経路探索処理部２２による探索処理によって得られた誘導経路を地図上に重ねて表示したり、右左折交差点の拡大図を表示するための誘導経路描画データを作成するとともに、誘導経路に沿って車両を誘導するために必要な交差点案内等の音声信号を生成する。
【００２５】
検索条件指定部３０は、検索の基点となる特定位置を設定するとともに、複数の施設が対応する施設名を検索条件として指定する。検索の基点となる特定位置としては、例えば、車両位置計算部２０によって算出される車両位置（自車位置）が用いられ、車両位置周辺の所定範囲（例えば半径１０ｋｍ以内の範囲）が周辺施設情報の検索範囲として設定される。なお、利用者が操作部４を操作して指し示した地図画面上の任意位置を、検索の基点となる特定位置として用いるようにしてもよい。
【００２６】
また、本実施形態では、利用者は、施設ジャンルを特定し、さらに各施設ジャンルに含まれる複数の施設名の中から一つ（あるいは複数）を選択することにより検索条件の設定を行う。
【００２７】
図２は、検索条件の設定例を示す説明図であり、施設検索を行う際の施設分類が示されている。図２において、「施設ジャンル」は  各施設が属するカテゴリであって、コンビニエンスストア、ファミリレストラン、ファーストフード（店）、ガソリンスタンドなどに分類される。なお、この分類は一例であって適宜変更することができる。例えば、施設ジャンルとして複数の階層を設定し、大分類、中分類、小分類などによって分けて細分化するようにしてもよい。
【００２８】
また、図２において、「施設名」は、各施設ジャンルに対応する複数のブランド名としての施設名である。各施設名には複数の施設が対応している。具体的には、施設ジャンルとしての「コンビニエンスストア」には複数の施設名として「コンビニＡ」、「コンビニＢ」、「コンビニＣ」、「その他」が含まれる。コンビニＡ、Ｂ、Ｃのそれぞれは、全国あるいは一地域でチェーン展開された複数の店舗を有しており、対応する複数の店舗において共通のロゴマーク等が用いられている。また、「その他」は、チェーン展開されたコンビニＡ、Ｂ、Ｃ等に属しない（あるいは、チェーン展開されているが数が少ない）それ以外のコンビニエンスストアである。利用者は、操作部４を用いることにより、図２に示すいずれかの施設ジャンルを特定し、さらに、この特定した施設ジャンルに対応する複数の施設名の中からいずれかを選択することができ、検索条件指定部３０は、このようにして利用者によって選択された施設名を検索条件として指定する。
【００２９】
周辺施設検索部３２は、検索条件指定部３０によって指定された施設名を検索条件として、特定位置の周辺に存在する施設に関する周辺施設情報を検索する。例えば、施設ジャンル「コンビニエンスストア」に含まれる複数の施設名の中から施設名「コンビニＡ」が選択されて検索条件として指定されると、周辺施設検索部３２は、コンビニＡの各店舗の中から特定位置周辺に存在するものを抽出し、各施設の情報（周辺施設情報）を検索する。また、検索によって得られる周辺施設情報には、各施設の名称（コンビニＡのａａ店）やその所在地（経度緯度）が少なくとも含まれており、それ以外の詳細情報については必要になった時点でさらに取得するようにしてもよい。
【００３０】
関連施設検索部３４は、周辺施設検索部３２による施設検索の対象になった施設名と同じ施設ジャンルに含まれる他の施設名を検索条件として、特定位置の周辺に存在する施設に関する情報としての関連施設情報を検索する。上述した例では、検索条件としての施設名が「コンビニＡ」であるため、このコンビニＡと同じ施設ジャンル「コンビニエンスストア」に含まれる他の施設名「コンビニＢ］、「コンビニＣ」、・・・、「その他」が検索条件として設定され、特定位置の周辺に存在する施設に関する情報としての関連施設情報が検索によって抽出される。
【００３１】
施設情報描画部３６は、周辺施設検索部３２によって検索された周辺施設情報と関連施設検索部３４によって検索された関連施設情報とが含まれる検索結果画像（検索結果描画データ）を作成する。
【００３２】
入力処理部４０は、操作部４から入力される各種の操作指示に対応する動作を行うための命令をナビゲーションコントローラ１内の各部に向けて出力する。
【００３３】
表示処理部６０は、地図描画部１４によって作成される地図画像描画データが入力されており、この描画データに基づいて所定範囲の地図画像を表示装置６の画面に表示する。また、施設情報描画部３６によって作成される検索結果描画データや経路誘導処理部２４によって作成される誘導経路描画データが入力されると、表示処理部６０は、これらの描画データを地図画像に重ねて表示装置６の画面に表示する。
【００３４】
上述した検索条件指定部３０が検索基点設定手段、検索条件指定手段に、周辺施設検索手段が周辺施設検索部３２に、関連施設検索部３４が関連施設検索手段に、施設情報描画部３６が検索結果画像作成手段に、表示処理部６０が表示処理手段にそれぞれ対応する。
【００３５】
本実施形態のナビゲーション装置はこのような構成を有しており、次に、施設検索を行う動作について説明する。図３は、周辺施設検索の動作手順を示す流れ図である。周辺施設検索が開始されると、施設条件設定部３０は、その時点で車両位置計算部２０によって算出された自車位置を検索の起点としての特定位置に設定する（ステップ１００）。また、検索条件指定部３０は、操作部４を用いた利用者の指示に応じて検索条件を決定する（ステップ１０２）。
【００３６】
図４および図５は、検索条件設定画面の表示例を示す図である。図４に示す設定画面は、施設ジャンルを選択するためのものであり、利用者は、表示された施設ジャンルである「コンビニエンスストア」、「ファミリレストラン」、「ファーストフード」、「ガソリンスタンド」の中のいずれかを指し示すことにより選択することができる。なお、他の施設ジャンルを選択したい場合には、スクロールボタンａ〜ｄを適宜押下して施設ジャンルのスクロールを行い、その時点で非表示状態になっている他の施設ジャンルを表示させた後に指し示して選択すればよい。
【００３７】
図５に示した設定画面は、図４に示す設定画面において「コンビニエンスストア」が施設ジャンル名として選択された場合に次に表示される内容を示している。図５に示す設定画面は、選択された施設ジャンル「コンビニエンスストア」に含まれる複数の施設名を選択するためのものであり、利用者は、表示された「全ての施設」、「コンビニＡ」、「コンビニＢ」、「コンビニＣ」の中のいずれかを指し示すことにより選択することができる。なお、他の施設名を選択したい場合には、スクロールボタンａ〜ｄを適宜押下して施設名のスクロールを行い、その時点で非表示状態になっている他の施設名を表示させた後に指し示して選択すればよい。この点は図４に示した設定画面と同じである。
【００３８】
次に、周辺施設検索部３２は、検索条件指定部３０によって指定された施設名を検索条件として、特定位置の周辺に存在する施設に関する周辺施設情報を検索する（ステップ１０４）。具体的には、周辺施設検索部３２は、特定位置としての自車位置を中心にして所定範囲（例えば、半径１０ｋ以内）を検索対象として、図５に示した設定画面を用いて選択された特定の施設名（「全ての施設」が選択された場合には全ての施設名）の施設を抽出する。なお、自車位置を中心にした所定範囲としては、所定の半径以内の他に、経度および緯度に沿って所定距離以内、道路に沿って所定距離以内あるいは所定時間以内、などの変形例が考えられる。
【００３９】
また、関連施設検索部３４は、検索条件指定部３０によって指定された施設名を除く同じ施設ジャンルの他の施設名を検索条件として、特定位置の周辺に存在する施設に関する関連施設情報を検索する（ステップ１０６）。具体的には、周辺施設検索部３２は、特定位置としての自車位置を中心にして所定範囲（例えば、半径１０ｋ以内）を検索対象として、図５に示した設定画面を用いて選択された特定の施設名以外の施設名の施設を抽出する。
【００４０】
なお、ステップ１０４の検索が施設名として「全ての施設」について行われた場合には、同じ施設ジャンルの他の施設名が存在しないため、ステップ１０６の関連施設検索は省略される。また、ステップ１０４の周辺施設検索とステップ１０６の関連施設検索は、順番を入れ替えたり、並行して行うようにしてもよい。
【００４１】
次に、施設情報描画部３６は、周辺施設検索部３２によって検索された周辺施設情報と関連施設検索部３４によって検索された関連施設情報とが含まれる検索結果画像を作成する（ステップ１０８）。また、表示処理部６０は、この検索結果画像（検索結果画面）を表示装置６に表示する（ステップ１１０）。
【００４２】
図６は、検索結果画面の表示例を示す図である。例えば、図５に示した設定画面において施設名として「コンビニＡ」が選択された場合の検索結果画面が示されている。図６に示す検索結果画面には、複数の周辺施設情報が含まれる周辺施設情報領域Ｓ１と、１つの関連施設情報が含まれる関連施設情報領域Ｓ２とが含まれている。また、周辺施設情報領域Ｓ１は、関連施設情報領域Ｓ２に比べて、画面内の上部に配置され、かつ、広い面積が割り当てられている。
【００４３】
図６に示した表示例では、周辺施設情報領域Ｓ１には、４つの施設の周辺施設情報（店舗名、自車位置から見た相対的な方向、自車位置からの距離（例えば直線距離））が含まれているが、検索の結果５つ以上の施設が抽出された場合には、自車位置から近い順に４つの施設が選択されて表示されている。他の５つ目以降の施設を表示させたい場合には、スクロールボタンａ〜ｄを適宜押下して周辺施設情報領域Ｓ１内での施設のスクロールを行い、その時点で非表示状態になっている他の施設を表示させればよい。
【００４４】
また、関連施設情報領域Ｓ２に表示する関連施設情報についてはいくつかの場合が考えられる。例えば、（１）周辺施設検索部３２による検索によって抽出された最も自車位置に近い施設よりも近い位置にある場合に、最も近い関連施設を表示する（図６に示した表示例はこの場合に該当する）、（２）関連施設検索部３４による検索によって抽出された最も自車位置に近い関連施設を表示する、などが考えられる。なお、図６に示した表示例では、周辺施設情報領域Ｓ１と関連施設情報領域Ｓ２の右側に、自車位置周辺の地図画像が配置されている。この地図画像には、自車位置を示す自車位置マークＧと、周辺施設や関連施設の位置および施設名を示す施設マークＲが含まれており、自車位置周辺の施設の概略的な位置が視覚的に確認できるようになっている。
【００４５】
図７は、検索結果画面の表示の変形例を示す図である。周辺施設検索部３２による所定範囲内での検索の結果、周辺施設情報領域Ｓ１に表示可能な施設数（図６に示す例では４つ）よりも少ない数の周辺施設が抽出された場合に、周辺施設情報領域Ｓ１の面積を狭くするとともに関連施設情報領域Ｓ２の面積をその分広くしてもよい。図７に示す例では、周辺施設情報領域Ｓ１の面積が３つの施設分に縮小され、関連施設情報領域Ｓ２の面積が２つの施設分に拡大されている。この場合に、関連施設情報領域Ｓ２に表示される関連施設は、関連施設検索部３４による検索によって抽出された複数の関連施設の中で、自車位置に近い順に２つが選択される場合や、その中で自車位置に最も近い周辺施設よりもさらに自車位置に近いものに限定する場合などが考えられる。
【００４６】
図８は、検索結果画面の表示の他の変形例を示す図である。図８に示す表示例は、周辺施設情報領域Ｓ１に表示する施設が１つもない場合であり、周辺施設情報領域Ｓ１がなくなるとともに、関連施設情報領域Ｓ２が最大面積となるように拡大されている。
【００４７】
図９は、検索結果画面の表示の他の変形例を示す図である。関連施設検索部３４による検索によって得られる関連施設情報の中には、利用者を引き付けるための有益情報（第１の付加情報）を含むのもがある。例えば、施設がコンビニエンスストアの場合には商品の割引情報が含まれていたり、施設が美術館等の場合には展示内容を示す情報が含まれていたりすることがある。このような関連施設情報に有益情報が含まれる場合には、図９に示すように、関連施設情報領域Ｓ２の表示内容にこの有益情報（表示しきれない場合には一部のみ）を含ませるようにしてもよい。なお、期間限定の有益情報については、通信装置経由で外部のサーバからその時点で入手可能な有益情報をその都度入手して表示するようにしてもよい。また、関連施設情報領域Ｓ２に表示する関連施設情報を、有益情報が付加されたものに限定するようにしてもよい。
【００４８】
また、上述した有益情報と類似した概念であるが、関連施設検索部３４による検索によって得られる関連施設情報の中には、利用者による施設の利用の可否を示す情報（第２の付加情報）を有するものがある。例えば、営業時間情報、休日情報、開館日情報などである。関連施設検索部３４によって、検索結果画面を表示する日時等に基づいてその時点で利用可能な施設であるか否かを判定し、利用可能である施設についてのみ関連施設情報領域Ｓ２における関連施設情報の表示を行うようにしてもよい。
【００４９】
このように、本実施形態のナビゲーション装置では、検索条件を指定した施設検索で得られた周辺施設情報だけでなく、同じ施設ジャンルの他の施設に関する関連施設情報を取得することにより、利用者自身が検索を希望した施設以外であっても他の施設の有益な情報を含む検索結果を表示することが可能となる。特に、複数の周辺施設情報が含まれる周辺施設情報領域を上部に、関連施設情報が含まれる関連施設情報領域を下部に配置したり、周辺施設情報領域の面積を関連施設情報領域の面積よりも広くしており、このように関連施設情報の表示よりも周辺施設情報の表示を優先させることにより、利用者の検索の意図を反映させるとともに関連施設情報を加えることによって周辺施設情報の視認性を阻害しない検索結果の表示が可能になる。
【００５０】
また、周辺施設情報の数が周辺施設情報領域Ｓ１に表示可能な数を超えている場合に、利用者によるスクロール指示に応じて、周辺施設情報領域Ｓ１において表示対象となる周辺施設情報をスクロールすることにより、周辺施設情報が多数存在する場合であっても利用者の指示に応じて順番にその内容を表示することができるとともに、周辺施設情報の数に関係なく関連施設情報を確実に表示することが可能となる。
【００５１】
また、周辺施設情報の数が周辺施設情報領域Ｓ１に表示可能な数よりも少ない場合に、関連施設情報領域Ｓ２を拡大してこれに表示する関連施設情報の数を増加させることにより、検索結果画像内の領域を有効利用することができる。
【００５２】
また、図９に示すように、有益情報を含む関連施設情報を表示することにより、利用者にとってさらに有益な情報を含む検索結果を表示することができる。また、利用可能な施設についてのみ関連施設情報を表示することにより、実際にその施設に行って利用不可であることを知るなどの利用者の無駄な行為を未然に防止することができる。
【００５３】
なお、本発明は上記実施形態に限定されるものではなく、本発明の要旨の範囲内において種々の変形実施が可能である。例えば、上述した実施形態では、車両に搭載されたナビゲーション装置において施設検索を行う場合について説明したが、パーソナルコンピュータやスマートフォンと称される携帯端末等で所定のアプリケーションソフトを実行することにより施設検索を行う場合にも本発明を適用することができる。
【産業上の利用可能性】
【００５４】
上述したように、本発明によれば、検索条件を指定することで得られた周辺施設情報だけでなく、同じ施設ジャンルの他の施設に関する関連施設情報を取得することにより、利用者自身が検索を希望した施設以外であっても他の施設の有益な情報を含む検索結果を表示することが可能となる。
【符号の説明】
【００５５】
１  ナビゲーションコントローラ
３  地図データ記憶装置
４  操作部
５  車両位置検出部
６  表示装置
７  オーディオ部
８  通信装置
１０  地図バッファ
１２  地図読出制御部
１４  地図描画部
２０  車両位置計算部
２２  経路探索処理部
２４  経路誘導処理部
３０  検索条件指定部
３２  周辺施設検索部
３４  関連施設検索部
３６  施設情報描画部
４０  入力処理部
６０  表示処理部
【図１】
2014190888.tif 000003
【図２】
2014190888.tif 000004
【図３】
2014190888.tif 000005
【図４】
2014190888.tif 000006
【図５】
2014190888.tif 000007
【図６】
2014190888.tif 000008
【図７】
2014190888.tif 000009
【図８】
2014190888.tif 000010
【図９】
2014190888.tif 000011